(57)【要約】【課題】  椅子の背もたれに背もたれ部と共に腰支持部を有するようにして傾動する角度によって腰椎を別途に支持できる腰支持部を有する椅子を提供することである。【解決手段】  本発明は、椅子の背もたれに背もたれ部と共に腰支持部を有するようにして傾動する角度によって腰椎を別途に支持できる腰支持部を有する椅子に関し、座席部２８と、座席部２８を支持するように形成された支持部材２６と、支持部材２６に一端部が固定される第１の弾性フレーム２４と、第１の弾性フレーム２４の他端部に形成された背もたれ部２０と、座席部２８の下部側に形成された第２の弾性フレーム３２と、背もたれ部２０の下端前面部と座席部２８との間に位置して、座席部２８の下端部における第２の弾性フレーム３２の他端部に固定される腰椎支持部２２とで構成される。【選択図】図２
2006141859.tif 000002
【特許請求の範囲】
【請求項１】
座席部と、
前記座席部を支持するように形成された支持部材と、
前記支持部材にその一端部が固定される第１の弾性フレームと、
前記第１の弾性フレームの他端部に形成された背もたれ部と、
前記第１の弾性フレームと前記座席部との間に位置し、前記支持部材や座席部にその一端部が固定される第２の弾性フレームと、
前記背もたれ部の前面下端部において腰を支持する高さに位置するように、前記第２の弾性フレームの他端部に固定される腰椎支持部とを含むことを特徴とする腰支持部を有する椅子。
【請求項２】
前記第２の弾性フレームはワイヤで形成されることを特徴とする請求項１に記載の腰支持部を有する椅子。
【請求項３】
前記腰椎支持部の後面と前記第２の弾性フレームの前面には、それぞれコ字状の連結片が形成され、
これと同一の形状の２つのコ字状の連結片のそれぞれの端部面が反対向きに付着された結合固定片を含み、
前記結合固定片の一端部が前記腰椎支持部のコ字状の連結片に揺動可能に取り付けられ、
前記結合固定片の他端部が前記第２の弾性フレームのコ字状の連結片に揺動可能に固定されることを特徴とする請求項１に記載の腰支持部を有する椅子。
【請求項４】
高さ調節が可能であり、前面にコ字状の連結片が形成された中間連結フレームが前記第２の弾性フレームの端部に取り付けられ、
前記結合固定片の一端部が前記腰椎支持部のコ字状の連結片に揺動可能に取り付けられ、
前記結合固定片の他端部が中間連結フレームのコ字状の連結片に揺動可能に固定されることを特徴とする請求項３に記載の腰支持部を有する椅子。
【請求項５】
前記腰椎支持部は、複数個に分離されることを特徴とする請求項１に記載の腰支持部を有する椅子。
【請求項６】
前記複数個の腰椎支持部の後面にはそれぞれコ字状の連結片が形成され、
前記腰椎支持部のコ字状の連結片の数と同数のコ字状の連結片が第２の弾性フレームの前面にそれぞれ形成され、
同一の形状の２つのコ字状の連結片のそれぞれの端部面が反対向きに付着された結合固定片を前記腰椎支持部のコ字状の連結片の数と同数だけ含み、
前記各結合固定片の一端部が前記各腰椎支持部のコ字状の連結片に揺動可能に取り付けられ、
前記各結合固定片の他端部が前記第２の弾性フレームの各コ字状の連結片に揺動可能に固定されることを特徴とする請求項５に記載の腰支持部を有する椅子。
【請求項７】
前記各腰椎支持部の数と同数のコ字状の連結片が前面に形成されており、高さ調節が可能な中間連結フレームが前記第２の弾性フレームの端部に取り付けられ、
前記各結合固定片の一端部が前記各腰椎支持部のコ字状の連結片に揺動可能に取り付けられ、
前記各結合固定片の他端部が中間連結フレームの各コ字状の連結片に揺動可能に固定されることを特徴とする請求項６に記載の腰支持部を有する椅子。
【発明の詳細な説明】
【技術分野】
【０００１】
本発明は、腰支持部を有する椅子に関し、より詳しくは、椅子の背もたれに背もたれ部と共に腰支持部を有するようにして傾動する角度によって腰椎(腰)を別途に支持できる腰支持部を有する椅子に関する。
【背景技術】
【０００２】
一般的に、図１に示すように、固定フレーム６に移動輪１２が形成され、上記固定フレーム６の上部側に座席４が形成され、固定フレーム６の弾性フレーム８により背もたれ２が固定されて形成される。
【０００３】
上記のように形成された図１のＡ部分の椅子の背もたれ２は、椅子の座席４に座ったとき、ユーザの背を支持するように備えられているものであり、背もたれ２を後ろに傾動した場合は、図１のＢ部分に示すように、Ｗ部分のような空間のデッドスペースが生じてユーザの腰部位は全く支持することができなかった。
【０００４】
従って、長時間椅子に座って業務や勉強を行う場合は、ユーザの腰椎部位に疲労が加重される問題点があった。
【０００５】
上記のような問題点を解決するために、ユーザは、座布団や小さなクッション等を腰に当てて座る。
【０００６】
しかし、座布団やクッション等は椅子に固定されていないだけでなく、一定の角度を維持できていないため、ユーザの動きによって適切に腰を支持できていないのが実情である。
【０００７】
人の腰椎は脊椎を構成しているものであって、人の活動中に多く使用される骨のうちの一つである。
【０００８】
従って、常に正常な状態で緩やかな曲線を維持しており、このような腰椎の正常に屈曲したカーブを維持することが、腰の疾患を予防する次元で極めて重要な要素を占めている部分である。
【０００９】
しかし、一般的な椅子の背もたれは緩やかな曲線を維持しなければならないが、腰椎を支持できていないため、疲労度を加重して様々な類型の腰の疾患を引き起こしている。
【００１０】
従って、腰椎を緩やかに反った状態に維持するために、一定の角度で腰を支持することは極めて重要なことであると提示されている。
【発明の開示】
【発明が解決しようとする課題】
【００１１】
本発明は、上記のような従来の問題点に鑑みて創案されたものであって、その目的は、椅子の背もたれに背もたれ部と共に腰支持部を有するようにして傾動する角度によって腰椎を別途に支持できる腰支持部を有する椅子を提供することにある。
【課題を解決するための手段】
【００１２】
本発明の目的を達成するために、腰支持部を有する椅子は、座席部と、座席部を支持するように形成された支持部材と、支持部材に一端部が固定される第１の弾性フレームと、第１の弾性フレームの他端部に形成された背もたれ部と、座席部の下部側に形成された第２の弾性フレームと、背もたれ部の下端前面部と座席部との間に位置して、座席部の下端部における第２の弾性フレームの他端部に固定される腰椎支持部とで構成される。
【発明を実施するための最良の形態】
【００１３】
上記のように構成された本発明の腰支持部を有する椅子を下記のように具体的に説明する。
【００１４】
本発明は、座席部２８を支持部材２６に固定させており、支持部材２６の下部側は、ユーザが座ったままで移動させることができるように移動輪３０が形成される。
【００１５】
また、座席部２８の下部側支持部材２６には、背もたれ部２０が第１の弾性フレーム２４により結合される。
【００１６】
座席部２８と背もたれ部２０との間には、腰椎支持部２２が背もたれ部２０の一直線上に形成される。
【００１７】
腰椎支持部２２は、背もたれ部２０の下部側の前面部に位置して形成される。
【００１８】
腰椎支持部２２は、ユーザの腰部を支持するように弾性力を与えるための第２の弾性フレーム３２により結合固定されて形成される。
【００１９】
また、腰椎支持部２２と第２の弾性フレーム３２との間には、中間連結フレーム４８が形成され、第２の弾性フレーム３２側から中間連結フレーム４８を上下部側に移動させて固定できる締め部４９を有する高さ調節装置が形成される。
【００２０】
また、腰椎支持部２２は、第２の弾性フレーム３２に上下左右に方向を変えることができるようにコ字状の連結片４０を形成し、これと同一の形状の２つの連結片４２、４４を反対向きに互いにずらして固定付着させた結合固定片５０を結合部５２により結合されるように形成する。
【００２１】
第２の弾性フレーム３２の端部に上下に調節できるように高さ調節が可能な高さ調節装置を有する中間連結フレーム４８に一体にコ字状の連結片４１が揺動可能に取り付けられる。
【００２２】
上記のように構成された本発明の腰支持部を有する椅子を、添付の図面を参照して下記のように詳しく説明する。
【００２３】
図２は、本発明の腰支持部を有する椅子を示す図であり、図３は、本発明の腰支持部を有する椅子の作動状態を示す図であり、図４及び図５は、本発明の腰支持部を有する椅子の結合部分を示す図である。
【００２４】
本発明は、図２に示すように、移動輪３０を有する支持部材２６上に固定された座席部２８に座るユーザは、臀部の真上の部分の腰部分を支持するための腰椎支持部２２が形成されており、ユーザの腰部分を支持する。
【００２５】
ユーザの腰椎部分を支持する腰椎支持部２２の上部側には、背部分を支持するための背もたれ部２０が直角で一直線に形成されている。
【００２６】
また、背もたれ部２０は、ユーザが腰の上の部分である背中をもたれ掛けた後、後ろに押す場合に、後ろに傾動するように、背もたれ部２０の下部側に第１の弾性フレーム２４が支持部材２６に結合されている。
【００２７】
従って、図３に示すように、第１の弾性フレーム２４により背もたれ部２０は後ろに傾動し、ユーザが背中を背もたれ部２０から離すと、第１の弾性フレーム２４それ自体の弾性力、即ち、下部側に形成された弾性バネにより元の位置に復帰する。
【００２８】
このとき、ユーザは、ユーザの背中で座席部２８の下端部の支持部材２６の第１の弾性フレーム２４に固定された背もたれ部２０を押すことになるが、このときの押す力は、背もたれ部２０の第２の弾性フレーム３２に作用して押されるため、弾性支持される。
【００２９】
背もたれ部２０の下部側の前面に位置している腰椎支持部２２は押されずに、背もたれ部２０の下部側に位置しており、背もたれ部２０が傾動した後は下部側の腰椎支持部２２がユーザの腰部分を支持し続けるため、安定しているばかりでなく、ユーザの腰に無理をさせない。
【００３０】
また、ユーザの背もたれ部２０が後ろに押されて一定の角度以上傾動されると、背もたれ部２０と腰椎支持部２２とが傾動される傾き角の差があるため、ユーザの背部分の下側である腰部分は、腰椎支持部２２が位置しており、上記腰椎支持部２２は腰椎支持部２２を固定している第２の弾性フレーム３２により弾性支持されるものであり、即ち、下端側を支持しながら押している弾性バネにより若干押されるため、ユーザの腰を完全に支持する。
【００３１】
腰椎支持部２２を固定している第２の弾性フレーム３２は、座席部２８の下部側のどの部分に固定させても構わないばかりでなく、座席部２８を固定している支持部材２６に固定させることができるのはもちろんである。
【００３２】
本願発明において、腰椎支持部２２の後面には、ねじ締め用孔を有する連結片３７が固定され、第２の弾性フレームは図４に示すように、逆Ｙ字状のワイヤ３２で構成される。上記腰椎支持部は、その連結片３７がねじ締め孔を有する固定部材３８により結合部材３９としてワイヤ状の第２の弾性フレーム３２に固定される。
【００３３】
また、図５に示すように、ユーザの腰を支持するための腰椎支持部２２は、ユーザの腰が乗って押されると腰の形状に合わせて動くように、第２の弾性フレーム３２の結合部分は、図４に示すように、腰椎支持部２２を上下左右に方向を変えることができるようにコ字状の連結片４０と結合固定片５０とを結合させて固定させることもできる。
【００３４】
コ字状の連結片４０に、コ字状の連結片４０と同一の形状を有する連結片４２、４４の端部面が互いに反対向きに一体に付着された結合固定片５０に結合部５２等を挿し込んで固定し、第２の弾性フレーム３２の端部に形成された中間連結フレーム４８の前面部に固定されたコ字状の連結片４１に結合部５２を挿し込んで固定する。即ち、コ字状の連結片４０には、結合固定片５０の連結片４２を結合部５２により上下部側に動くように固定され、結合固定片５０の連結片４４は、中間連結フレーム４８のコ字状の連結片４０に結合部５２を用いて左右に動くことができるように固定される。
【００３５】
第１の弾性フレーム２４と第２の弾性フレーム３２との間には、第２の弾性フレーム３２を上部側に弾性支持できるバネ１９が挟まれている。
【００３６】
また、図示してはいないが、第２の弾性フレーム３２に結合固定片５０を直接固定させることができるのはもちろんである。
【００３７】
それだけでなく、本発明には、第１の弾性フレーム２４を固定されているものに限定しているが、これに限らず、本発明において説明している中間連結フレーム４８に高さ調節装置を同様に用いることができるのはもちろんである。
【００３８】
上記結合部５２は、一般的に用いられる長ボルトにナット等を挿し込んで用いることができるだけでなく、その他の結合装置等を利用して用いることができるのはもちろんである。
【００３９】
結合固定片５０を第２の弾性フレーム３２に固定させるため、ユーザが座席部２８に座ったままで腰部分を腰椎支持部２２に加圧して押すと、ユーザの腰部分は、腰椎支持部２２の中央にユーザの脊椎を収めて真っ直ぐにすることができる役割をする特徴がある。
【００４０】
また、本発明は、腰支持部を有する椅子は、結合固定片５０を第２の弾性フレーム３２に直接取り付けず、ユーザの腰の高さに合わせて高低を調整できる中間連結フレーム４８に取り付けた後、中間連結フレーム４８を用いて適正な高さに調節した後、図示するように、ねじにより摩擦力を利用する締め部４９を公知の高さ調節装置の中の一つを用いて固定させると、腰椎支持部２２は固定された状態で位置するため、ユーザに合わせて高低を容易に調節できる。
【００４１】
上記のように、腰椎支持部２２の高低を調節でき、ユーザの腰部分をより確実に支持できる特徴がある。
【００４２】
また、本発明の他の実施例において、腰支持部は複数個で構成できる。複数個の腰椎支持部２３ａ、２３ｂの後面にそれぞれコ字状の連結片４０が形成されている。同一の形状の２つのコ字状の連結片４２、４４のそれぞれの端部面が反対向きに付着された結合固定片５０を複数個形成し、上記各結合固定片５０の一端部を上記各腰椎支持部２３ａ、２３ｂのコ字状の連結片に揺動可能に取り付け、上記各結合固定片５０の他端部を上記腰椎支持部２３ａ、２３ｂのコ字状の連結片４０と同数だけ第２の弾性フレーム３２の前面に形成されたコ字状の連結片４１に揺動可能に取り付ける(図５参照)か、又は図６に示すように、第２の弾性フレーム３２に取り付けられた高さ調節が可能な中間連結フレーム４８の前面に上記腰椎支持部２３ａ、２３ｂのコ字状の連結片４０と同数のコ字状の連結片４１に揺動可能に取り付ける。
【００４３】
上述した構成により、腰が湾曲する場合に腰の姿勢を正しくすることができ、腰に加わる荷重を分散できる効果を有するようになる。
【００４４】
［発明の効果］
上記のような本発明の腰支持部を有する椅子により、椅子の背もたれと共に腰支持部を有しており、傾動する角度によって背中だけでなく、腰部分を別途に支持できる効果がある。
【図面の簡単な説明】
【００４５】
【図１】（Ａ）従来の椅子を示す図である。（Ｂ）従来の椅子を示す図である。
【図２】本発明の腰支持部を有する椅子を示す図である。
【図３】（Ａ）本発明の腰支持部を有する椅子の作動状態を示す図である。（Ｂ）本発明の腰支持部を有する椅子の作動状態を示す図である
【図４】（Ａ）本発明の腰支持部を有する椅子の結合部分を示す図である。（Ｂ）本発明の腰支持部を有する椅子の結合部分を示す図である。
【図５】本発明の腰支持部の他の実施例を示す図である。
【図６】本発明のまた他の実施例である複数の腰支持部を有する構成を示す図である。
【符号の説明】
【００４６】
２６  支持部材
２８  座席部
２４  第１の弾性フレーム
２０  背もたれ部
３２  第２の弾性フレーム
２２、２３  腰椎支持部
４０  コ字状の連結片
４８  中間連結フレーム
４２、４４  連結片
５２  結合部
【図１】
2006141859.tif 000003
【図２】
2006141859.tif 000004
【図３】
2006141859.tif 000005
【図４】
2006141859.tif 000006
【図５】
2006141859.tif 000007
【図６】
2006141859.tif 000008